(57)【要約】【課題】前面保守機における通帳記帳装置の媒体取り込み部に収納された通帳を取り出す作業の効率を向上させ、かつ、作業の安全性を確保する。【解決手段】媒体を搬送する媒体搬送路と、前記媒体搬送路から顧客が取り忘れた前記媒体を搬送して取り込む媒体取り込み部とを備え、前記媒体取り込み部は、前記媒体を収納する媒体収納部を有し、前記媒体収納部は、回動可能に配置されている。【選択図】        図２
2015049660.tif 000002
【特許請求の範囲】
【請求項１】
媒体を搬送する媒体搬送路と、
前記媒体搬送路から顧客が取り忘れた前記媒体を搬送して取り込む媒体取り込み部とを備え、
前記媒体取り込み部は、前記媒体を収納する媒体収納部を有し、
前記媒体収納部は、前記媒体取り込み部に対して回動可能に配置されていることを特徴とする媒体処理装置。
【請求項２】
請求項１に記載の媒体処理装置において、
前記媒体収納部は、前記回動軸を設けられ、前記回動軸を中心に回動することを特徴とする媒体処理装置。
【請求項３】
請求項２に記載の媒体処理装置において、
前記回動軸は、前記媒体を搬送する方向に対して直交する方向に配置されることを特徴とする媒体処理装置。
【請求項４】
請求項１から請求項３のいずれか１項に記載の媒体処理装置において、
前記媒体収納部は、収納した前記媒体を載置する底面部と、回動したときに前記媒体の落下を防止する壁面部とを有することを特徴とする媒体処理装置。
【請求項５】
請求項４に記載の媒体処理装置において、
前記媒体を取り込むための媒体取り込み口側を前面とし、
前記回動軸は、前記媒体収納部の後面側に配置され、
前記壁面部は、前記媒体収納部の前面側に配置されていることを特徴とする媒体処理装置。
【請求項６】
請求項３に記載の媒体処理装置において、
前記媒体収納部は、収納した前記媒体を載置する底面部を有し、
前記底面部は、前記媒体を搬送する方向に対して直交する方向に稜線が伸びる突出部が配置されていることを特徴とする媒体処理装置。
【請求項７】
請求項６に記載の媒体処理装置において、
前記媒体収納部は、前記回動軸を設けた側の端部に突き当て部を有し、
前記突き当て部と前記底面部との接線から前記稜線までの距離は、前記媒体の前記回動軸側の前記先端部から前記媒体の重心までの距離より長くしたことを特徴とする媒体処理装置。
【請求項８】
請求項６または請求項７に記載の媒体処理装置において、
前記媒体収納部は、回動したときに収納した前記媒体を前記突出部が係止することを特徴とする媒体処理装置。
【請求項９】
請求項４から請求項８のいずれか１項に記載の媒体処理装置において、
前記底面部は、孔部を有していることを特徴とする媒体処理装置。
【請求項１０】
請求項１から請求項９のいずれか１項に記載の媒体処理装置を有し、
前記媒体処理装置が引き出された場合に、前記媒体収納部は回動可能に設けられることを特徴とする自動取引装置。
【発明の詳細な説明】
【技術分野】
【０００１】
本発明は、顧客が取り忘れた通帳を収納する媒体処理装置、その媒体処理装置を備えた自動取引装置に関する。
【背景技術】
【０００２】
例えば、銀行、信用金庫、郵便局等の金融機関に配設されたＡＴＭ（Ａｕｔｏｍａｔｉｃ  Ｔｅｌｌｅｒ  Ｍａｃｈｉｎｅ）等である自動取引装置は、保守される面で大別すると、接客面である前面から保守する前面保守機と、接客面の裏面である後面から保守する後面保守機との２種類が存在する。この２種類の自動取引装置のうち、主に設置場所の都合に応じて前面保守機か後面保守機のいずれかが設置される。これらの自動取引装置のうち、前面保守機においては装置前面側に設けられたフロントパネルが開けられて、係員や保守員などにより点検や修理等の保守作業が行われる。
【０００３】
このような自動取引装置は、通帳の記帳や通帳繰越に伴う新規発行などの処理を行うための媒体処理装置としての通帳記帳装置を有している。
従来の通帳記帳装置は、通帳の記帳などの処理が完了し、通帳挿入排出口へ排出した通帳を顧客が取り忘れたときに、次の顧客が取引を開始できるようにするため、前に取引を行った顧客が取り忘れた通帳を通帳挿入排出口から搬送し、装置の後面側に配置されている媒体取り込み部に収納するようにするものがある（例えば、特許文献１参照）。
【先行技術文献】
【特許文献】
【０００４】
【特許文献１】特開２００１−４３４２７号公報
【発明の概要】
【発明が解決しようとする課題】
【０００５】
しかしながら、前面保守機である自動取引装置に備えた従来の通帳記帳装置においては、係員が自動取引装置前面に開閉可能に設置されたフロントパネルを開けるのみならず、通帳記帳装置を前面側に引き出し、引き出した通帳記帳装置の後面に配置された開口部に手を伸ばして手探りで収納された取り忘れ通帳を取り出すようになっている。そのため、取り忘れた通帳を取り出すまでに時間がかかるという問題がある。また、係員が開口部から媒体取り込み部を視認することが構造的に困難であり、係員は収納された通帳を手探りで取り出さなければならない。そのため、装置内部の危険な箇所に手を触れてしまう可能性があり、作業の安全性の確保が不十分となるという問題がある。
本発明は、このような問題を解決することを課題とし、前面保守機における媒体処理装置の媒体取り込み部に収納された通帳を取り出す作業の効率を向上させ、かつ、作業の安全性を確保することを目的とする。
【課題を解決するための手段】
【０００６】
そのため、本発明は、媒体を搬送する媒体搬送路と、前記媒体搬送路から顧客が取り忘れた前記媒体を搬送して取り込む媒体取り込み部とを備え、前記媒体取り込み部は、前記媒体を収納する媒体収納部を有し、前記媒体収納部は、回動可能に配置されていることを特徴とする。
【発明の効果】
【０００７】
このようにした本発明は、前面保守機における媒体処理装置の媒体取り込み部に収納された通帳を取り出す作業の効率を向上させ、かつ、作業の安全性を確保することができるという効果が得られる。
【図面の簡単な説明】
【０００８】
【図１】第１の実施例における自動取引装置の概略側面図
【図２】第１の実施例における通帳記帳装置の概略側面図
【図３】第１の実施例における取り忘れ収納部の斜視図
【図４】第１の実施例における自動取引装置から通帳記帳装置が引き出された状態の説明図
【図５】第１の実施例における後面保守機の説明図
【図６】第２の実施例における収納トレイの形状の説明図
【図７】第２の実施例における取り忘れ収納部の斜視図
【図８】第２の実施例における収納トレイの形状と通帳の重心の説明図
【発明を実施するための形態】
【０００９】
以下、図面を参照して本発明による媒体処理装置および自動取引装置の実施例を説明する。
【実施例１】
【００１０】
図１は、第１の実施例における自動取引装置の概略側面図である。
図１において、自動取引装置１は、通帳記帳装置２と、フロントパネル３と、紙幣入出金部４と、操作表示部５とにより構成されており、主にフロントパネル３側から装置点検や保守作業などが行われる前面保守機である。
なお、本実施例においては、フロントパネル３、紙幣入出金部４、操作表示部５が配置されている自動取引装置１の側面を前面という。
【００１１】
自動取引装置１は、例えば銀行、信用金庫、郵便局等の金融機関に配設されたＡＴＭであって、金融機関の顧客が自ら操作して入金、出金、通帳記帳、残高照会、振込、振替、送金等の金融サービスを利用するための装置である。
なお、本実施例での顧客とは、金融機関に自己の口座を開設し、金融サービスを利用する者である。
媒体処理装置としての通帳記帳装置２は、顧客により挿入された通帳に記帳し、また、新規に通帳を発行する機能を有する。また、通帳記帳装置２は自動取引装置１のフロントパネル３が開けられると、自動取引装置１の前面側に引き出すことができるように設置されている。
【００１２】
また、通帳記帳装置２は、内部の後面側に回動可能な取り忘れ収納部１００を有している。この取り忘れ収納部１００は、顧客が取り忘れた通帳を通帳挿入排出口１１から搬送して、取り忘れ収納部１００に収納し、次の取引が開始できるようにするものである。通帳の取り忘れは、通帳記帳などの処理が完了し、後述する通帳挿入排出口１１へ通帳を搬送し、顧客が引き抜くことができる状態としてから所定の時間が経過すると、顧客が通帳を取り忘れたものと判定し、取り忘れ収納部１００に収納する。なお、通帳記帳装置２の取り忘れ収納部１００に収納された通帳の取り出しについては後述する。
【００１３】
フロントパネル３は、自動取引装置１の前面に開閉可能に設置され、取り忘れ収納部１００に収納された通帳を取り出す作業のほか、通帳の装填、詰まった通帳の除去、点検、修理等の作業が行われる際に係員や保守員により開けられる。
紙幣入出金部４は、顧客が投入した取引媒体としての紙幣を受け入れ、これを鑑別および計数して収納し、また顧客に支払う紙幣を計数して顧客に引き渡す。
操作表示部５は、タッチパネル等の入力装置の機能を併せ持つ表示装置であり、顧客に対する案内表示を行い、また、顧客の操作を受け付ける。
また、図示しないカード取扱部は、挿入された顧客のキャッシュカード等の磁気ストライプに記録されている口座番号等の口座情報の読み取りおよび書き込みを行う。
【００１４】
図２は、第１の実施例における通帳記帳装置の概略側面図である。
図２において、通帳記帳装置２は、上述した取り忘れ収納部１００と、通帳挿入排出口１１と、通帳搬送路１２と、搬送ローラ対１３と、磁気データリードライト部１４と、光学読み取り部１５と、ページめくり部１６と、印字部１７と、通帳発行用カセット１８と、切り替えブレード１９とにより構成されている。
図中矢印Ａは、前面側に配置された通帳挿入排出口１１から後面側に配置された取り忘れ収納部１００に通帳搬送路１２を介して顧客が取り忘れた通帳１０を搬送する方向を示している。
【００１５】
なお、本実施例の媒体としての通帳１０は、中紙用紙および表紙用紙を中綴じとした構成とされており、表紙用紙には顧客の口座番号等の通帳情報を記憶する磁気ストライプが設けられている。また、中紙用紙の各ページには、ページ数を示すバーコード等のページマークがあらかじめ印刷されている。
図３は、第１の実施例における取り忘れ収納部の斜視図である。
図３において、媒体取り込み部としての取り忘れ収納部１００は、顧客が取り忘れた通帳１０を収納するものである。この取り忘れ収納部１００は、通帳１０を収納する収納トレイ１０１と、収納トレイ１０１に設けられた回動軸１０２の軸受である図示せぬ孔とから構成されている。
【００１６】
媒体収納部としての収納トレイ１０１は、ページが開かれた状態の通帳を収納できる大きさの箱形状のものである。この収納トレイ１０１は、後面側に通帳を搬送する方向（図２中または図３中の矢印Ａが示す方向）に対して直交する方向に回動軸１０２が配置され、通帳記帳装置２が自動取引装置１から引き出されたときに、回動軸１０２を支点として回動可能に設けられている。
収納トレイ１０１は、壁面部１０１ａと、底面部１０１ｂと、突き当て部１０１ｄと、上述した回動軸１０２とにより構成されている。
【００１７】
壁面部１０１ａは、箱形状の収納トレイ１０１を構成する部材であり、収納トレイ１０１の回動軸１０２を設けた側の端部の反対側の端部に配置される前面側の壁面として用いられる。この壁面部１０１ａは、係員が収納トレイ１０１に収納された通帳１０を取り出すために収納トレイ１０１を回動させたときに、通帳１０の落下を防止することができる高さで設けられている。
【００１８】
底面部１０１ｂは、収納した通帳１０を載置する平板状のものであり、収納トレイ１０１が通帳記帳装置２に対してロックされた状態であっても係員が収納された通帳を視認可能にする孔部１０１ｃ（図に示すような円形ではなく細長い単数あるいは複数の隙間でもよい）が複数設けられている。
突き当て部１０１ｄは、収納トレイ１０１の回動軸１０２を設けた側の端部に配置されており、図中矢印Ａが示す方向に搬送され取り込まれた通帳１０が突き当てられる。
回動軸１０２は、取り忘れ収納部１００の後面側に、図中矢印Ａが示す方向に対して直交する方向に配置され、収納トレイ１０１を回動可能とするものである。
【００１９】
図２の説明に戻り、図中１点鎖線で示した収納トレイ１０１は閉じられた状態を表している。
収納トレイ１０１は、図示しない回動を規制するロック機構により図中１点鎖線で示した状態でロックされている。手動でロック機構を操作して解除すると、図中実線で示した状態まで図中矢印Ｂで示す方向に自重で回動することで、通帳１０が取り出し可能な角度まで開くことができるものである。
係員が収納された通帳１０を取り出すために図中矢印Ｂで示す方向へ収納トレイ１０１を回動させると、図中実線で示したように収納トレイ１０１は開かれた状態となる。
【００２０】
このようにして、係員は通帳１０が収納された収納トレイ１０１を図中矢印Ｂで示す方向へ回動させて開き、自動取引装置１の前面側から図中矢印Ｅで示す方向へ通帳１０を取り出す作業を行うことが可能となる。
通帳挿入排出口１１は、顧客により通帳１０が挿入され、取引内容が記帳された通帳１０を排出する。もしくは通帳挿入排出口１１は、新規に発行した通帳１０を排出する。
【００２１】
媒体搬送路としての通帳搬送路１２は、通帳挿入排出口１１と接続されており、顧客により通帳挿入排出口１１に挿入された通帳１０を搬送ローラ対１３により搬送する経路である。
磁気データリードライト部１４は、通帳１０の磁気ストライプに記憶されている顧客の口座番号等の通帳情報の読み取りおよび書き込みを行う。
光学読み取り部１５は、ページマークおよび印字済みの行を光学的に読み取る。
【００２２】
ページめくり部１６は、光学読み取り部１５が読み取ったページマークおよび印字済みの行に基づいて通帳１０のページをめくる。
印字部１７は、通帳１０に取引内容を印字する。
通帳発行用カセット１８は、未使用の通帳の束２０を収容し、新規に発行する場合には通帳１０を通帳搬送路１２に繰り出す。
【００２３】
切り替えブレード１９は、搬送ローラ対１３が図中矢印Ａで示す方向に搬送する取り忘れた通帳１０を、通帳搬送路１２から搬送方向を切り替えて取り忘れ収納部１００に案内する。この切り替えブレード１９と搬送ローラ対１３により媒体取り込み口が形成されている。
また、通帳記帳装置２は、ＣＰＵ（Ｃｅｎｔｒａｌ  Ｐｒｏｃｅｓｓｉｎｇ  Ｕｎｉｔ）等の制御部およびメモリ等の記憶部により構成され、記憶部に格納された制御プログラム（ソフトウェア）に基づいて制御部により通帳記帳装置２全体の制御を行う。
なお、前面保守機の通帳記帳装置に用いる取り忘れ収納部として説明したが、それに限られることなく、後面保守機の通帳記帳装置に用いる取り忘れ収納部としてもよい。
【００２４】
例えば、図５は第１の実施例における後面保守機の説明図であり、自動取引装置１の後面に開閉可能に設置されているリア扉６を開けた状態を示しており、この後面保守機においてはリア扉６が開けられて、係員や保守員などにより点検や修理等の保守が行われる。
図５において、後面保守機の場合では、取り忘れ収納部に収納された通帳を取り出すときに、取り忘れ収納部が通帳記帳装置の後面側に配置されていることにより、係員が自動取引装置の後面の扉を開けるのみで、通帳記帳装置の後面に配置した開口部から収納された通帳を視認してから手を入れて取り出すことができるため、作業の効率および安全性はよい。
【００２５】
それゆえ、収納された通帳１０を係員が取り出すときには、リア扉６を開け、収納した通帳１０を通帳記帳装置２の後面に配置した開口部２１から係員が手を入れて容易に取り出すことができるため、前面保守機のような問題はないが、本実施例の前面保守機の通帳記帳装置に用いる取り忘れ収納部を用いることができるため、後面保守機の取り忘れ収納部を新たに設計する手間をなくすことができる
上述した構成の作用について説明する。
まず、通帳記帳装置２が行う通帳１０の記帳処理について図２を参照しながら説明する。
【００２６】
取引を開始した顧客が通帳１０を通帳挿入排出口１１に挿入すると、搬送ローラ対１３は、挿入された通帳１０を図中矢印Ａが示す方向に搬送する。
磁気データリードライト部１４は、搬送ローラ対１３により搬送された通帳１０の磁気ストライプに記憶されている顧客の口座番号等の通帳情報の読み取りを行う。
光学読み取り部１５は、通帳１０に印刷されたページマークと、印字済みの行とを光学的に読み取る。
【００２７】
印字部１７は、光学読み取り部１５により読み取ったページマークおよび印字済みの行に基づいて取引内容を印字する。
印字部１７の印字によりページが満たされたとき、ページめくり部１６は通帳１０の次のページを開く。また、異なるページに印字する指示があるとき、ページめくり部１６は所定のページを開く。
その後、印字部１７は、ページめくり部１６が開いた通帳１０のページに印字を行う。
印字部１７により取引内容の印字が完了し、通帳１０の磁気ストライプに記憶させる磁気データを更新するときには、磁気データリードライト部１４は磁気データの書き込みを行う。
【００２８】
搬送ローラ対１３は、磁気ストライプの磁気データを更新された通帳１０、もしくは新規に発行された通帳１０を通帳挿入排出口１１へ排出し、顧客が通帳１０を引き抜くことができる状態にする。
顧客が通帳１０を通帳挿入排出口１１から引き抜いた場合、通帳記帳装置２は取引を完了し、次の取引まで待機する。
一方、顧客が通帳１０を通帳挿入排出口１１から引き抜かずに、通帳１０が通帳挿入排出口１１へ搬送されてから所定の時間が経過した場合、通帳記帳装置２は、顧客が通帳１０を取り忘れたと判定する。
【００２９】
顧客が通帳１０を取り忘れたと判定した通帳記帳装置２は、通帳１０を搬送ローラ対１３により図中矢印Ａで示す方向に搬送し、切り替えブレード１９を取り忘れ収納部１００へ導く方向に切り替える。
切り替わった切り替えブレード１９に導かれた通帳１０は、取り忘れ収納部１００の突き当て部１０１ｄに通帳１０が突き当たり、ほぼ突き当て部２０１ｄの位置に揃えられた状態で収納トレイ１０１に収納される。
その後、通帳記帳装置２は、取引を完了し、次の取引まで待機する。
【００３０】
次に、係員により行われる収納トレイ１０１に収納された通帳１０を取り出す作業について図４に基づき、図２を参照しながら説明する。
図４は、第１の実施例における自動取引装置から通帳記帳装置が引き出された状態の説明図である。
図４において、自動取引装置１は、収納トレイ１０１に収納した通帳１０を係員が取り出す際に、フロントパネル３が図中矢印Ｃで示す方向に開けられ、通帳記帳装置２が図中矢印Ｄで示す方向（前面側）に引き出された状態となる。
【００３１】
前面側に通帳記帳装置２が引き出された状態で、図２に示すように収納トレイ１０１は係員により手動でロック機構が解除され、回動軸１０２を中心として図２中の矢印Ｂで示す方向に回動する。
また、収納トレイ１０１が回動したとき、収納した通帳１０は壁面部１０１ａに当接するため、落下しない。
収納された通帳１０は、係員が回動させた収納トレイ１０１の前面側から取り出される。
【００３２】
以上説明したように、第１の実施例では、収納トレイに通帳を搬送する方向に対して直交する方向に回動軸を設け、収納トレイを回動可能とする構造としたことにより、係員が収納トレイの前面側から通帳を視認して取り出すことができるため、前面保守機における媒体処理装置の媒体取り込み部に収納された通帳を取り出す作業の効率を向上させ、かつ、作業の安全性を確保することができるという効果が得られる。
また、後面保守機においても、第１の実施例の前面保守機の媒体処理装置に用いる媒体取り込み部を用いることができるため、後面保守機の媒体取り込み部を新たに設計する手間をなくすことができるという効果が得られる。
【実施例２】
【００３３】
本実施例においては、第１の実施例の収納トレイ１０１の前面側に壁面部１０１ａを設けないようにしたことにより、係員が収納トレイを開いて通帳を取り出す際に手を入れる範囲が広くなるとともに通帳が視認性しやすくなるため、通帳記帳装置の取り忘れ収納部に収納された通帳を取り出す作業の効率を向上させ、かつ、作業の安全性を確保することができるようにする。さらに、収納トレイを開いたときに、通帳が落下しないように通帳の重心を考慮に入れて底面部に突出部を配置させている。
【００３４】
図６は、第２の実施例における収納トレイの形状の説明図であり、図６（ａ）は第１の実施例における収納トレイ１０１の形状、図６（ｂ）は第２の実施例における収納トレイ２０１の形状であり、収納トレイ２０１が閉じられた状態を示したもの、図６（ｃ）は第２の実施例における収納トレイ２０１の形状であり、収納トレイ２０１が開かれた状態を示したものである。
【００３５】
なお、上述した第１の実施例と同様の部分は、同一の符号を付してその説明を省略する。
また、通帳１０の重心が回動軸側から最も離れた状態、つまり通帳１０が収納トレイ２０１から最も落ちやすい状態を示すため、便宜上、通帳１０は平板状に開かれた状態で示している。
まず、第１の実施例における収納トレイ１０１の形状の問題点を図６（ａ）に基づきながら説明する。
【００３６】
図６（ａ）に示すように、第１の実施例における収納トレイ１０１の形状は、箱形状であり、前面側に壁面部１０１ａを有している。
この壁面部１０１ａは、係員が収納された通帳１０を取り出すために収納トレイ１０１を回動させたときに、収納された通帳１０の落下を防止する利点がある。一方で、図中矢印Ｅで示す通帳を取り出す方向に壁面部１０１ａが存在することから、通帳１０を取り出す方向に動かす際の障害となるため、通帳１０を取り出す作業の効率は十分ではない。また、壁面部１０１ａの存在により収納トレイ１０１に収納された通帳１０を視認しにくいため、収納された通帳１０の視認性も十分ではない。
【００３７】
そこで、本実施例においては図６（ｃ）に示すように、壁面部２０１ａを収納トレイ２０１に設けていないことにより、通帳１０を取り出す方向に動かす際の障害とならないため、通帳１０を取り出す作業の効率が向上するとともに、収納トレイ２０１に収納された通帳１０の視認性を向上させて作業の安全性を確保する。さらに、通帳１０を取り出すときに収納された通帳１０の落下を防止するため、底面部２０１ｂの形状を変更する。
第１の実施例における壁面部１０１ａは箱形状の収納トレイ１０１を構成する前面側の部材としたが、本実施例における壁面部２０１ａは収納トレイ２０１から分離させ、通帳記帳装置２に固定されているものとする。
【００３８】
また、第１の実施例における底面部１０１ｂは平板状の形状としたが、本実施例における底面部２０１ｂは収納した通帳１０を載置する平板状の底面部に図２中の矢印Ａで示す通帳を搬送する方向に対して直交する方向に稜線が伸びる突出部２０１ｅが配置されており、収納トレイ２０１を開いたときに収納された通帳１０の落下を防止する。突出部２０１ｅの設置位置については後述する。
なお、図７は第２の実施例における取り忘れ収納部の斜視図であり、図７に示すように第２の実施例の底面部２０１ｂについては、第１の実施例の底面部１０１ｂと同様に、収納された通帳１０を係員が視認するための孔部２０１ｃが設けられている。なお、壁面部２０１ａは収納トレイ２０１から分離させたため、図７には図示していない。
【００３９】
図６（ｂ）に示すように、切り替わった切り替えブレード１９に導かれた通帳１０は、収納トレイ２０１の突き当て部２０１ｄに突き当たり、突き当て部２０１ｄに通帳１０が当接した状態で収納トレイ２０１に収納される。
収納トレイ２０１が開いたときに、図６（ｃ）に示すように、壁面部２０１ａが収納トレイ２０１と一体になって構成されていないことにより、通帳１０を取り出すときに手を入れる範囲が第１の実施例より広くなり、かつ、通帳１０を視認しやすくすることができる。
【００４０】
次に、収納トレイ２０１が開いたとき、収納された通帳１０の落下を防止する突出部２０１ｅの設置位置について説明する。
ここでは、係員が収納トレイ２０１を開いたとき、収納トレイ２０１から最も落下しやすい状態にある通帳１０の重心の位置に基づいて、通帳１０の落下を防止できる突出部２０１ｅの設置位置を求める。
図８は、第２の実施例における収納トレイの形状と通帳の重心の説明図であり、図８（ａ）は中央のページを開いた通帳１０の重心を示したものであり、図８（ｂ）は表紙用紙１０ｄのみを開いた通帳１０の重心を示したものであり、図８（ｃ）は収納トレイ２０１に収納され、収納トレイ２０１を開いたときの表紙用紙１０ｄのみを開いた通帳１０の重心を示したものである。
【００４１】
まず、図８（ａ）に示すように、中央のページから開いた通帳１０の場合、通帳１０の回動軸側の一端である先端部１０ａから綴じ目部を挟んだ他端である先端部１０ｂまでの長さをＬとすると、通帳１０の重心Ｇは、通帳１０の先端部１０ａから先端部１０ｂ側にＬ／２の位置、つまり先端部１０ａと先端部１０ｂの中央の綴じ目部となる。これは、先端部１０ａ側と先端部１０ｂ側とのページ数が同一であるためである。
次に、先端部１０ａから最も遠い位置であり、収納トレイ２０１から最も落下しやすい通帳１０の重心の位置を求めると、図８（ｂ）に示すように、通帳１０の表紙のみを開いた場合、重心Ｇは、中紙用紙１０ｃの重心Ｇ１と表紙用紙１０ｄの重心Ｇ２から求めることができる。
【００４２】
中紙用紙１０ｃは先端部１０ｂ側に綴じ目部から半分に折りたたんだ状態であるため、中紙用紙１０ｃの重心Ｇ１の位置は、先端部１０ａから先端部１０ｂ側にＬ／２＋Ｌ／４の位置となる。
表紙用紙１０ｄは開いた状態であるため、表紙用紙１０ｄの重心Ｇ２の位置は、通帳１０の先端部１０ａから先端部１０ｂ側にＬ／２の位置となる。
ここで、中紙用紙１０ｃの重量をＷ１とし、表紙用紙１０ｄの重量をＷ２とすると、重心Ｇの通帳１０の綴じ目部からの距離Ｎは、
Ｎ＝Ｗ１／（Ｗ１＋Ｗ２）×Ｌ／４
となる。よって、先端部１０ａからの通帳１０の重心Ｇの距離は、
Ｎ＋Ｌ／２
となる。
【００４３】
このときの通帳１０の重心Ｇの位置は、収納トレイ２０１から最も落下しやすい通帳１０の重心の位置となる。
そこで、通帳１０の重心Ｇの位置が収納トレイ２０１から最も落下しやすい通帳１０の重心の位置であっても、収納トレイ２０１を開いたときに、突き当て部２０１ｄと底面部２０１ｂとの接線から突出部２０１ｅの稜線までの距離を、通帳１０の回動軸側の先端部１０ａから通帳１０の重心までの距離より長くすることで、収納された通帳１０の落下を突出部２０１ｅが係止することで防止する。
【００４４】
なお、通帳１０の回動軸側の先端部１０ａから通帳１０の重心までの距離に、通帳１０が突き当て部２０１ｄから離れ得る距離を実験的に求めたものを加えてもよい。
つまり、図８（ｃ）に示すように、通帳１０の先端部１０ａから突出部２０１ｅまでの直線距離をＸとすると、重心Ｇの位置がＸの位置より回動軸１０２側とすることにより、通帳１０に突出部２０１ｅの稜線を回動軸とした図中時計回りの方向のモーメントが働くため、通帳１０は収納トレイ２０１から落下しない。
【００４５】
上述した構成の作用について説明する。
通帳記帳装置２が行う通帳１０の記帳処理については、第１の実施例と同様であるため説明を省略する。
また、顧客が取り忘れた通帳１０を収納トレイ２０１に収納し、取引を完了し、次の取引まで待機する動作についても第１の実施例の動作と同様であるため説明を省略する。
【００４６】
次に、収納トレイ２０１に収納された通帳１０を取り出す作業について図４および図８を参照しながら説明する。
図４と同様に前面側に引き出された通帳記帳装置２の収納トレイ２０１は、係員により手動でロック機構が解除され、図８（ｃ）の矢印Ｂに示す方向に回動する。
収納トレイ２０１が回動したときに、図８（ｃ）に示すように、収納された通帳１０の重心Ｇは、突出部２０１ｅより先端部１０ａ側に位置するため、通帳１０は収納トレイ２０１から落下しない。
収納された通帳１０は、係員が回動させた収納トレイ２０１から視認され、取り出される。
【００４７】
以上説明したように、第２の実施例では、第１の実施例の効果に加えて、壁面部が収納トレイと一体になって構成されていないことにより、収納トレイを開いたときに、係員が通帳を取り出すときに手を入れる範囲が広くなるとともに通帳の視認性が向上するため、前面保守機における媒体処理装置の媒体取り込み部に収納された通帳を取り出す作業の効率を向上させ、かつ、作業の安全性を確保することができるという効果が得られる。
【００４８】
なお、第１の実施例および第２の実施例では、媒体処理装置として通帳を取り扱う通帳記帳装置について説明したが、それに限られるものでなく、磁気カードやレシート等の媒体を扱う装置であってもよい。
また、第１の実施例および第２の実施例では、本発明をＡＴＭの通帳記帳装置に適用する例で説明したが、それに限られるものでなく、例えば紙幣や硬貨の入出金を行う現金自動預払機、乗車券、航空券、チケット等を発券する自動発券機、または商業施設や店舗等に設置される多機能端末装置等に本発明を適用することができる。
【符号の説明】
【００４９】
１      自動取引装置
２      通帳記帳装置
３      フロントパネル
４      紙幣入出金部
５      操作表示部
６      リア扉
１０    通帳
１０ａ、１０ｂ  先端部
１０ｃ  中紙用紙
１０ｄ  表紙用紙
１１    通帳挿入排出口
１２    通帳搬送路
１３    搬送ローラ対
１４    磁気データリードライト部
１５    光学読み取り部
１６    ページめくり部
１７    印字部
１８    通帳発行用カセット
１９    切り替えブレード
２０    通帳の束
２１    開口部
１００、２００  取り忘れ収納部
１０１、２０１  収納トレイ
１０１ａ、２０１ａ  壁面部
１０１ｂ、２０１ｂ  底面部
１０１ｃ、２０１ｃ  孔部
１０１ｄ、２０１ｄ  突き当て部
２０１ｅ  突出部
１０２  回動軸
【図１】
2015049660.tif 000003
【図２】
2015049660.tif 000004
【図３】
2015049660.tif 000005
【図４】
2015049660.tif 000006
【図５】
2015049660.tif 000007
【図６】
2015049660.tif 000008
【図７】
2015049660.tif 000009
【図８】
2015049660.tif 000010